(57)【要約】【課題】  低コスト、省スペースで空気調和機に換気機能を付与できるようにする。【解決手段】  熱交換器２を通過した室内空気Ｗを空気吹出口５から室内へ還流させる貫流ファン３を、多数の羽根車を回転軸方向に連結してなる多連羽根車６を有して構成した空気調和機において、前記多連羽根車６における端部側の少なくとも１連の羽根車６ａ部分に、該羽根車６ａ部分を被包し、回転軸方向に吸込口１０を、遠心方向に吐出口１１をそれぞれ有するスクロール９を付設して当該羽根車６ａ部分を遠心多翼ファンとして機能させるとともに、該スクロール９の吐出口１１に、室外へ通じる換気ダクト１３を接続して、冷暖房のための室内空気循環用として作用する貫流ファン３の一部（即ち、端部側の少なくとも１連の羽根車６ａ部分）にスクロール９を付設するだけで、当該羽根車６ａ部分を換気用の遠心多翼ファンとして機能させることができるようにしている。【選択図】        図４
2005331179.tif 000002
【特許請求の範囲】
【請求項１】
空気調和機本体（１）内に、冷暖房用の熱源として作用する熱交換器（２）と、該熱交換器（２）を通過した室内空気（Ｗ）を空気吹出口（５）から室内へ還流させる貫流ファン（３）とを配設し、該貫流ファン（３）を、多数の羽根車（６ａ），（６ａ）・・を回転軸方向に連結してなる多連羽根車（６）を有して構成した空気調和機であって、前記多連羽根車（６）における端部側の少なくとも１連の羽根車（６ａ）部分には、該羽根車（６ａ）部分を被包し、回転軸方向に吸込口（１０）を、遠心方向に吐出口（１１）をそれぞれ有するスクロール（９）を付設して当該羽根車（６ａ）部分を遠心多翼ファンとして機能させるとともに、該スクロール（９）の吐出口（１１）には、室外へ通じる換気ダクト（１３）を接続したことを特徴とする空気調和機。
【請求項２】
前記空気調和機本体（１）における前記スクロール（９）の吸込口（１０）と対向する部位には、室内空気（Ｗ）を吸い込むための室内空気吸込口（１４）を形成したことを特徴とする請求項１記載の空気調和機。
【請求項３】
前記スクロール（９）の一部を可動とすることにより、室内空気（Ｗ）の換気を行う態様と、室内空気（Ｗ）を循環させる態様とを取り得るように構成したことを特徴とする請求項１および２のいずれか一項記載の空気調和機。
【発明の詳細な説明】
【技術分野】
【０００１】
本願発明は、空気調和機に関し、さらに詳しくは換気機能を有する空気調和機に関するものである。
【背景技術】
【０００２】
一般に、室内空気の換気は換気扇で行い、冷暖房は空気調和機で行うというように、それぞれ別個の機器が用いられてきていたが、近年、換気機能を有する空気調和機が見られるようになってきている。
【０００３】
換気機能を有する空気調和機の例としては、冷暖房のための送風を行う空調用ファンと、室内空気の排気又は室外空気の給気を行う換気用ファンとを備えたものが提案されている（特許文献１参照）。
【０００４】
【特許文献１】特開２０００−２９１９９７号公報。
【発明の開示】
【発明が解決しようとする課題】
【０００５】
上記特許文献１に開示されている換気機能付き空気調和機の場合、冷暖房のための送風を行う空調用ファンとは別に、換気用ファンおよび換気用ファン専用のファンモータが必要となるところから、コスト的にも設置スペース的にも不利となるとともに、空調用ファンと換気用ファンとを別々に制御する必要も生ずる。
【０００６】
本願発明は、上記の点に鑑みてなされたもので、低コスト、省スペースで換気機能を付与できるようにすることを目的とするものである。
【課題を解決するための手段】
【０００７】
本願発明では、上記課題を解決するための第１の手段として、空気調和機本体１内に、冷暖房用の熱源として作用する熱交換器２と、該熱交換器２を通過した室内空気Ｗを空気吹出口５から室内へ還流させる貫流ファン３とを配設し、該貫流ファン３を、多数の羽根車６ａ，６ａ・・を回転軸方向に連結してなる多連羽根車６を有して構成した空気調和機において、前記多連羽根車６における端部側の少なくとも１連の羽根車６ａ部分に、該羽根車６ａ部分を被包し、回転軸方向に吸込口１０を、遠心方向に吐出口１１をそれぞれ有するスクロール９を付設して当該羽根車６ａ部分を遠心多翼ファンとして機能させるとともに、該スクロール９の吐出口１１に、室外へ通じる換気ダクト１３を接続している。
【０００８】
上記のように構成したことにより、冷暖房のための室内空気循環用として作用する貫流ファン３の一部（即ち、端部側の少なくとも１連の羽根車６ａ部分）にスクロール９を付設するだけで、当該羽根車６ａ部分を換気用の遠心多翼ファンとして機能させることができる。従って、低コスト、省スペースで空気調和機に換気機能を付与させることができる。
【０００９】
本願発明では、上記課題を解決するための第２の手段として、上記第１の手段を備えた空気調和機において、前記空気調和機本体１における前記スクロール９の吸込口１０と対向する部位に、室内空気Ｗを吸い込むための室内空気吸込口１４を形成することもでき、そのように構成した場合、室内空気Ｗのスクロール９への吸込抵抗が可及的に小さくできるところから、良好な換気機能を発揮できるし、スクロール９への吸込スペースを確保する必要がないため、製品サイズをコンパクト化できる。また、室外へ換気される空気は、熱交換器２を通らないところから、熱ロスが少なくなり、省エネ性に優れたものとなる。。
【００１０】
本願発明では、上記課題を解決するための第３の手段として、上記第１又は第２の手段を備えた空気調和機において、前記スクロール９の一部を可動とすることにより、室内空気Ｗの換気を行う態様と、室内空気Ｗを循環させる態様とを取り得るように構成することもでき、そのように構成した場合、スクロール９の一部を変化させることにより、室内空気Ｗの換気を行う態様と、室内空気Ｗを循環させる態様とを取り得ることとなり、多機能化を容易に実現できる。
【発明の効果】
【００１１】
本願発明の第１の手段によれば、空気調和機本体１内に、冷暖房用の熱源として作用する熱交換器２と、該熱交換器２を通過した室内空気Ｗを空気吹出口５から室内へ還流させる貫流ファン３とを配設し、該貫流ファン３を、多数の羽根車６ａ，６ａ・・を回転軸方向に連結してなる多連羽根車６を有して構成した空気調和機において、前記多連羽根車６における端部側の少なくとも１連の羽根車６ａ部分に、該羽根車６ａ部分を被包し、回転軸方向に吸込口１０を、遠心方向に吐出口１１をそれぞれ有するスクロール９を付設して当該羽根車６ａ部分を遠心多翼ファンとして機能させるとともに、該スクロール９の吐出口１１に、室外へ通じる換気ダクト１３を接続して、冷暖房のための室内空気循環用として作用する貫流ファン３の一部（即ち、端部側の少なくとも１連の羽根車６ａ部分）にスクロール９を付設するだけで、当該羽根車６ａ部分を換気用の遠心多翼ファンとして機能させることができるようにしたので、低コスト、省スペースで空気調和機に換気機能を付与させることができるという効果がある。
【００１２】
本願発明の第２の手段におけるように、上記第１の手段を備えた空気調和機において、前記空気調和機本体１における前記スクロール９の吸込口１０と対向する部位に、室内空気Ｗを吸い込むための室内空気吸込口１４を形成することもでき、そのように構成した場合、室内空気Ｗのスクロール９への吸込抵抗が可及的に小さくできるところから、良好な換気機能を発揮できるし、スクロール９への吸込スペースを確保する必要がないため、製品サイズをコンパクト化できる。また、室外へ換気される空気は、熱交換器２を通らないところから、熱ロスが少なくなり、省エネ性に優れたものとなる。
【００１３】
本願発明の第３の手段におけるように、上記第１又は第２の手段を備えた空気調和機において、前記スクロール９の一部を可動とすることにより、室内空気Ｗの換気を行う態様と、室内空気Ｗを循環させる態様とを取り得るように構成することもでき、そのように構成した場合、スクロール９の一部を変化させることにより、室内空気Ｗの換気を行う態様と、室内空気Ｗを循環させる態様とを取り得ることとなり、多機能化を容易に実現できる。
【発明を実施するための最良の形態】
【００１４】
以下、添付の図面を参照して、本願発明の幾つかの好適な実施の形態について詳述する。
【００１５】
第１の実施の形態
図１ないし図４には、本願発明の第１の実施の形態にかかる空気調和機が示されている。
【００１６】
この空気調和機は、壁掛けタイプとされており、空気調和機本体１内に、冷暖房用の熱源として作用する熱交換器２と、該熱交換器２を通過した室内空気Ｗを空気吹出口５から室内へ還流させる貫流ファン３とを配設して構成されている。符号４ａ，４ｂは前部および上部空気吸込口である。
【００１７】
前記貫流ファン３は、前進翼タイプの多数の羽根車６ａ，６ａ・・を回転軸方向に連結してなる多連羽根車６と、該多連羽根車６を回転駆動させるファンモータ７とにより構成されている。
【００１８】
前記熱交換器２は、前記貫流ファン３における多連羽根車６の前部を覆う前部熱交換器２ａと、前記多連羽根車６の上部を覆う上部熱交換器２ｂとによって略ヘ字状に構成されている。前記前部熱交換器２ａは、前記前部空気吸込口４ａに対向し、前記上部熱交換器２ｂは、前記上部空気吸込口４ｂに対向している。符号８ａ，８ｂはドレンパンである。
【００１９】
前記多連羽根車６における端部側の１連の羽根車６ａ部分には、該羽根車６ａ部分を被包し、回転軸方向に吸込口１０を、遠心方向に吐出口１１をそれぞれ有する渦巻きタイプのスクロール９が付設されており、当該羽根車６ａ部分は遠心多翼ファン（即ち、シロッコファン）として機能することとなっている。符号１２は貫流ファン３のエンドプレート兼シロッコファンのエンドプレートである。
【００２０】
そして、前記スクロール９の吐出口１１には、室外へ通じる換気ダクト１３が接続されている。また、前記空気調和機本体１における前記スクロール９の吸込口１０と対向する部位には、室内空気Ｗを吸い込むための室内空気吸込口１４が形成されている。このようすると、室内空気Ｗのスクロール９への吸込抵抗が可及的に小さくできるところから、良好な換気機能を発揮できる。
【００２１】
ところで、図５に示すように、空気調和機本体１におけるスクロール９の吸込口１０と対向する部位に室内空気吸込口１４を形成しない場合には、空気吸込口４ａ，４ｂから吸い込まれた室内空気Ｗは、熱交換器２ａ，２ｂを通過した後、空気調和機本体１において前記スクロール９を取り囲むように形成された吸込スペースＳを経てスクロール９の吸込口１０に吸い込まれることとなる。従って、スクロール９への吸込スペースＳを確保する必要があるとともに、室外へ換気される空気は、熱交換器２を通ることとなる。
【００２２】
これに対して、本実施の形態の場合、図１に示すように、スクロール９への吸込スペースＳを確保する必要がないため、製品サイズをコンパクト化できる。また、室外へ換気される空気は、熱交換器２を通らないところから、熱ロスが少なくなり、省エネ性に優れたものとなる。
【００２３】
上記のように構成したことにより、貫流ファン３として機能している部分においては、図３に示すように、空気吸込口４ａ，４ｂから吸い込まれた室内空気Ｗは、熱交換器２ａ，２ｂを通過する過程で加熱あるいは冷却され、貫流ファン３を貫流して空気吹出口５から室内へ還流されるが、シロッコファンとして機能している羽根車６ａ部分においては、室内空気吸込口１４から吸込口１０を経てスクロール９内に吸い込まれた室内空気Ｗは、換気ダクト１３を介して室外へ換気されることとなる。つまり、冷暖房のための室内空気循環用として作用する貫流ファン３の一部（即ち、端部側の１連の羽根車６ａ部分）にスクロール９を付設するだけで、当該羽根車６ａ部分を換気用の遠心多翼ファン（即ち、シロッコファン）として機能させることができることとなり、低コスト、省スペースで空気調和機に換気機能を付与させることができる。
【００２４】
第２の実施の形態
図６には、本願発明の第２の実施の形態にかかる空気調和機における遠心多翼ファン部分が示されている。
【００２５】
この場合、スクロール９の一部（即ち、空気吹出口５と対応する部分および吐出口１１と対応する部分）が可動部９ａ，９ｂとされている。該可動部９ａ，９ｂは、上端Ｐ，Ｑをそれぞれ支点として開閉自在とされている。図６（イ）に示すように、スクロール９の可動部９ａを閉じ且つ可動部９ｂを開放すると、室内空気Ｗは換気ダクト１３を介して室外へ換気されることとなる。一方、図６（ロ）に示すように、スクロール９の可動部９ａを開操作し且つ可動部９ｂを閉じると、室内空気Ｗは、空気吹出口５から室内へ還流されることとなる。つまり、スクロール９の可動部９ａ，９ｂを変化させることにより、室内空気Ｗの換気を行う態様と、室内空気Ｗを循環させる態様とを取り得ることとなり、多機能化を容易に実現できる。
【００２６】
その他の構成および作用効果は、第１の実施の形態におけると同様なので説明を省略する。
【００２７】
第３の実施の形態
図７には、本願発明の第３の実施の形態にかかる空気調和機における遠心多翼ファン部分が示されている。
【００２８】
この場合、スクロール９の一部（即ち、空気吹出口５と対応する部分および吐出口１１と対応する部分）が可動部９ａ，９ｂとされている。該可動部９ａは、上端Ｐを支点として開閉自在とされる一方、可動部９ｂは、吐出口１１を開閉するようにスライド自在とされている。図７（イ）に示すように、スクロール９の可動部９ａを閉じ且つ可動部９ｂを吐出口１１を開放する方向にスライド移動させると、シロッコファンとして機能することとなり、室内空気Ｗは換気ダクト１３を介して室外へ換気されることとなる。一方、図７（ロ）に示すように、スクロール９の可動部９ａを開操作し且つ可動部９ｂを吐出口１１を閉じる方向にスライド移動させると、貫流ファンとして機能することとなり、室内空気Ｗは、空気吹出口５から室内へ還流されることとなる。つまり、スクロール９の可動部９ａ，９ｂを変化させることにより、室内空気Ｗの換気を行う態様と、室内空気Ｗを循環させる態様とを取り得ることとなり、多機能化を容易に実現できる。
【００２９】
その他の構成および作用効果は、第１の実施の形態におけると同様なので説明を省略する。
【図面の簡単な説明】
【００３０】
【図１】本願発明の第１の実施の形態にかかる空気調和機の縦断面図である。
【図２】本願発明の第１の実施の形態にかかる空気調和機における貫流ファンの拡大断面図である。
【図３】図１のＩＩＩ−ＩＩＩ拡大断面図である。
【図４】図１のＩＶ−ＩＶ拡大断面図である。
【図５】本願発明の第１の実施の形態にかかる空気調和機の変形例を示す縦断面図である。
【図６】本願発明の第２の実施の形態にかかる空気調和機における遠心多翼ファン部分の断面図であり、（イ）は室内空気の換気態様を示し、（ロ）は室内空気の循環態様を示す。
【図７】本願発明の第３の実施の形態にかかる空気調和機における遠心多翼ファン部分の断面図であり、（イ）は室内空気の換気態様を示し、（ロ）は室内空気の循環態様を示す。
【符号の説明】
【００３１】
１は空気調和機本体
２は熱交換器
３は貫流ファン
５は空気吹出口
６は多連羽根車
６ａは羽根車
９はスクロール
９ａ，９ｂは可動部
１０は吸込口
１１は吐出口
１３は換気ダクト
１４は室内空気吸込口
Ｗは室内空気
【図１】
2005331179.tif 000003
【図２】
2005331179.tif 000004
【図３】
2005331179.tif 000005
【図４】
2005331179.tif 000006
【図５】
2005331179.tif 000007
【図６】
2005331179.tif 000008
【図７】
2005331179.tif 000009